(57)【特許請求の範囲】
【請求項１】
回路基板のスルーホールに圧入されるプレスフィットピンを有するプレスフィットコネクタであって、
複数のプレスフィットピンを保持するプレスフィット部と、
前記プレスフィット部に取り付け可能であり、当該プレスフィット部に取り付けられた時に前記プレスフィットピンに接続可能な接続ピンを有するコネクタ部と、を有し、
前記複数のプレスフィットピンは、前記プレスフィット部の平板状部にその厚み方向に貫通するように保持され、前記プレスフィット部の平板状部の各プレスフィットピンの周りには、前記プレスフィットピンの座屈を確認するための貫通窓が設けられている、プレスフィットコネクタ。
【請求項２】
前記貫通窓は、前記プレスフィットピンを囲む円周状に形成されている、請求項１に記載のプレスフィットコネクタ。
【請求項３】
前記プレスフィットピンは、前記回路基板のスルーホールに圧入される圧入部と、前記接続ピンを接続するための接続部と、前記プレスフィット部の本体に固定するための固定部と、を有する、請求項１又は２に記載のプレスフィットコネクタ。
【請求項４】
前記プレスフィット部は、前記コネクタ部を保持する保持部を有する、請求項１〜３のいずれかに記載のプレスフィットコネクタ。
【発明の詳細な説明】
【技術分野】
【０００１】
本発明は、プレスフィットコネクタに関する。
【背景技術】
【０００２】
コンピュータなどの電子機器において、回路基板と、いわゆるバックプレーンとを接続するコネクタとして、プレスフィット方式（圧入方式）のコネクタが広く採用されている（特許文献１〜３参照）。例えば図５に示すようにこの方式のコネクタ１００は、内部を貫通し下方に突出したプレスフィットピン１０１を有し、回路基板Ａに取り付ける際には、プレスフィットピン１０１が機械により回路基板Ａのスルーホール１０２内に圧入される。この際、プレスフィットピン１０１は、その弾性によりスルーホール１０２の内側に接合される。
【０００３】
従来より、プレスフィット方式のコネクタの場合、プレスフィットピン１０１の圧入の際に、プレスフィットピン１０１がスルーホール１０２に適正に入らず座屈することがある。このため、図６に示すように圧入後、回路基板Ａの裏面を目視し、プレスフィットピン１０１の先端が裏面から突出しているか否かでプレスフィットピン１０１の座屈の有無を確認していた。
【先行技術文献】
【特許文献】
【０００４】
【特許文献１】特開２００１−１４８２７１号公報
【特許文献２】特開２０１０−０６２２９４号公報
【特許文献３】特許第３８４２０５０号公報
【発明の概要】
【発明が解決しようとする課題】
【０００５】
しかしながら、伝送信号の高速化によりプレスフィットピン１０１の長さが短縮されているため、図７に示すように圧入後に回路基板Ａの裏面からプレスフィットピン１０１の先端が突出しないものがあり、この場合目視による座屈の有無の確認ができない。
【０００６】
圧入の後工程において、プレスフィットピンと回路基板との導通検査が行われるが、この検査で座屈による導通不良が検出された場合、プレスフィットピンの圧入工程まで戻って製造工程をやり直す必要があり、製造効率が低下する。また、座屈があっても導通していることがあるため、導通検査で座屈を確実に検出することはできない。
【０００７】
本発明はかかる点に鑑みてなされたものであり、回路基板のスルーホールにプレスフィットピンを圧入した際に、目視によりプレスフィットピンの座屈の有無を確認できるプレスフィットコネクタを提供することをその目的とする。
【課題を解決するための手段】
【０００８】
上記目的を達成するための本発明は、回路基板のスルーホールに圧入されるプレスフィットピンを有するプレスフィットコネクタであって、複数のプレスフィットピンを保持するプレスフィット部と、前記プレスフィット部に取り付け可能であり、当該プレスフィット部に取り付けられた時に前記プレスフィットピンに接続可能な接続ピンを有するコネクタ部と、を有し、前記複数のプレスフィットピンは、前記プレスフィット部の平板状部にその厚み方向に貫通するように保持され、前記プレスフィット部の平板状部の各プレスフィットピンの周りには、前記プレスフィットピンの座屈を確認するための貫通窓が設けられているものである。
【０００９】
本発明によれば、プレスフィット部に設けられた貫通窓によって、目視によりプレスフィットピンの座屈の有無を確認できる。
【発明の効果】
【００１０】
本発明によれば、目視によりプレスフィットピンの座屈の有無を確認できるので、例えば後工程の導通検査で座屈が検出されることがなくなり、製造工程を戻す必要がないため、製造効率を向上できる。また、座屈を確実に検出できるため、不良品の発生を低減できる。
【図面の簡単な説明】
【００１１】
【図１】プレスフィットコネクタの構成の概略を示す説明図である。
【図２】座屈発生時のプレスフィットコネクタの状態を示す説明図である。
【図３】プレスフィットピンの構成を示す説明図である。
【図４】圧入時のプレスフィットコネクタの状態を示す説明図である。
【図５】改良前のコネクタの構成の概略を示す説明図である。
【図６】従来の座屈の目視確認の様子を示す説明図である。
【図７】短いプレスフィットピンの座屈の目視確認の様子を示す説明図である。
【発明を実施するための形態】
【００１２】
以下、図面を参照して、本発明の好ましい実施の形態について説明する。図１は、本実施の形態に係るプレスフィットコネクタ１の構成の概略を示す説明図である。
【００１３】
図１に示すようにプレスフィットコネクタ１は、プレスフィット部１０と、コネクタ部１１を有している。
【００１４】
プレスフィット部１０は、本体部２０と、当該本体部２０に保持された複数のプレスフィットピン２１を有している。本体部２０は、例えば平板状に形成され、厚み方向に貫通しプレスフィット２１が保持される複数の貫通孔３０を有している。この貫通孔３０は、回路基板Ａのスルーホール５０に対応する位置に設けられている。また、本体部２０は、貫通孔３０の周囲に、厚み方向に貫通する貫通窓３１を有している。貫通窓３１は、例えば図２に示すように貫通孔３０を囲む円周状に形成されている。例えば貫通窓３１は、貫通孔３０を中心とする複数の円弧部３１ａから構成され、貫通孔３０の周囲を囲んでいる。
【００１５】
また、図１に示すように本体部２０は、その外周部から上方に延びる保持部としてのホルダー３２を有している。ホルダー３２の内側面には、上下方向に延びる凹部３２ａが形成されている。凹部３２ａは、コネクタ部１１の外周面に形成された凸部１１ａと嵌合し、これによりコネクタ部１１を上方から挿入してプレスフィット部１０に固定できる。なお、嵌合できればホルダー３２側が凸部で、コネクタ部１１側が凹部であってもよい。
【００１６】
図３は、プレスフィットピン２１の構成を示す。プレスフィットピン２１は、回路基板Ａのスルーホール５０に圧入される圧入部６０と、コネクタ部１１の後述の接続ピン７１を接続するための接続部（受容部）６１と、本体部２０に固定するための固定部６２を有している。圧入部６０はプレスフィットピン２１の下部、接続部６１は上部、固定部６２は、圧入部６０と接続部６１の間の中間部に形成されている。
【００１７】
圧入部６０は、スルーホール５０の径よりもやや大きく形成され、中央に孔が形成されて全体で弾性を有する。図４に示すように圧入部６０がスルーホール５０に圧入されると、その弾性によりスルーホール５０内に固着される。接続部６１は、例えば上部が二股になっており、接続ピン７１を把持して接続できる。固定部６２は、例えば貫通孔３０の径よりもやや大きく形成され、貫通孔３０内に圧入されて本体部２０に固定される。
【００１８】
コネクタ部１１は、図１に示すようにプレスフィット部１０のホルダー３２内に収容される例えばブロック状に形成されている。コネクタ部１１には、プレスフィットピン２１に対応して厚み方向に貫通する複数の貫通孔７０が形成されている。当該貫通孔７０内に導電性の複数の接続ピン７１が挿通されている。接続ピン７１は、コネクタ部１１の下方に突出し、コネクタ部１１がプレスフィット部１０に装着された際に、接続ピン７１の下端がプレスフィットピン２１の接続部６１に把持され連結されるようになっている。接続ピン７１の上端側は、バックプレーンと呼ばれる基板に接続可能になっている。
【００１９】
次に、以上のように構成されたプレスフィットコネクタ１の作用について説明する。電子機器の製造工程において、機械により図２に示すようにプレスフィット部１０のプレスフィットピン２１が回路基板Ａのスルーホール５０内に圧入される。次に、プレスフィット部１０の上面側から貫通窓３１を通じてプレスフィットピン２１の座屈の有無が目視される。このとき座屈がある場合には、貫通窓３１から座屈部分２１ａが見えて、座屈を確認することができる。
【００２０】
プレスフィットピン２１の座屈の有無の確認後、座屈がない場合には、図４に示すようにプレスフィット部１０の上面にコネクタ部１１が取り付けられる。このとき、コネクタ部１１は、ホルダー３２に把持されてプレスフィット部１０に固定される。また、各接続ピン７１が、対応するプレスフィットピン２１に接続される。座屈がある場合には、座屈したプレスフィットピン２１を交換後、再度機械によりプレスフィット部１０のプレスフィットピン２１が回路基板Ａのスルーホール５０内に圧入される。
【００２１】
以上の実施の形態によれば、プレスフィット部１０に貫通窓３１が形成されているので、目視によりプレスフィットピン２１の座屈の有無を確認できる。また、プレスフィットコネクタ１がプレスフィット部１０とコネクタ部１１に分かれているので、その分貫通窓３１が形成されているプレスフィット部１０を薄くでき、貫通窓３１からの座屈の確認を行い易くなる。
【００２２】
貫通窓３１が、プレスフィットピン２１を囲む円周状に形成されているので、どの方向への座屈もより確実に確認することができる。
【００２３】
プレスフィット部１０は、コネクタ部１１を保持するホルダー３２を有するので、プレスフィット部１０に対しコネクタ部１１を好適に固定できる。
【００２４】
以上、添付図面を参照しながら本発明の好適な実施の形態について説明したが、本発明はかかる例に限定されない。当業者であれば、特許請求の範囲に記載された思想の範疇内において、各種の変更例または修正例に想到し得ることは明らかであり、それらについても当然に本発明の技術的範囲に属するものと了解される。
【００２５】
例えば上記実施の形態では、貫通窓３１は、複数の円弧部３１ａからなる円周状に形成されていたが、その形や数はこれに限定されるものではない。
【００２６】
（付記１）回路基板のスルーホールに圧入されるプレスフィットピンを有するプレスフィットコネクタであって、プレスフィットピンを保持するプレスフィット部と、前記プレスフィット部に取り付け可能であり、当該プレスフィット部に取り付けられた時に前記プレスフィットピンに接続可能な接続ピンを有するコネクタ部と、を有し、前記プレスフィット部には、前記プレスフィットピンの座屈を確認するための貫通窓が設けられている、プレスフィットコネクタ。
【００２７】
（付記２）前記貫通窓は、前記プレスフィットピンを囲む円周状に形成されている、付記１に記載のプレスフィットコネクタ。
【００２８】
（付記３）前記プレスフィットピンは、前記回路基板のスルーホールに圧入される圧入部と、前記接続ピンを接続するための接続部と、前記プレスフィット部の本体に固定するための固定部と、を有する、付記１又は２に記載のプレスフィットコネクタ。
【００２９】
（付記４）前記プレスフィット部は、前記コネクタ部を保持する保持部を有する、付記１〜３のいずれかに記載のプレスフィットコネクタ。
【符号の説明】
【００３０】
１  プレスフィットコネクタ
１０  プレスフィット部
１１  コネクタ部
２０  本体部
２１  プレスフィットピン
３０  貫通孔
３１  貫通窓
３２  ホルダー
７１  接続ピン
Ａ  回路基板
５０  スルーホール
【図１】
0005387863.tif 000002
【図２】
0005387863.tif 000003
【図３】
0005387863.tif 000004
【図４】
0005387863.tif 000005
【図５】
0005387863.tif 000006
【図６】
0005387863.tif 000007
【図７】
0005387863.tif 000008